(57)【要約】      （修正有）【課題】天然自然に存在するエネルギー源である引力遠心力慣性力梃子天秤力永久磁石反撥力を最高度に応用する。【解決手段】一端に鉄板を装着したアームＱの回転落下により駆動されるアームＤがメインシャフトＨを回転させる方式により、誰でもいつでも入手できる引力、遠心力、慣性力、梃子天秤力、永久磁石力を最高度に応用し、発電中心となるタービンシャフトを強力高速旋廻させ、この引力遠心力等５大原理を一体化し、相互連鎖的に運用旋廻させる。【選択図】図１
2007146850.tif 000002
【特許請求の範囲】
【請求項１】
この特許願の第一は低速モーター〔図１〕〔図２〕〔図３〕の右下Ｋモーター〔電圧１００ボルト出力９０ワット分速回転数５０回転〕と又はバッテリーの電力源を始発起動力源としてコンセント〔図１〕▲Ｚ▼を▲Ｚ▼孔に挿入する。
しかし唯電圧力、電流力のための微音唸りあるのみでプーリーＺもベルトＮも全く微動もせづ、メインシャフトＨを旋廻させることは到底できない。
即ちＫモーターの力量のみではメインシャフトＨに固着した〔図２〕Ｄ１〜Ｄ３の３本アームと側対並列のＣ１〜Ｃ３のアームやそれらのアーム先端に固着させたＡ１〜Ａ３やＢ１〜Ｂ３のフンドウ等を諸共に旋廻させること不可能のためである。（現認実証）
ここにおいて〔図１〕〔図２〕ＸＸに示したＶ始動開始引抜くと〔図１〕上部左のＯ鉄平板は、留めを失い、引力をまともに受け、抛物線形を描き円弧形に落下し、且つＱアームの先端にあって、落スイング前途中、Ｂ遠心力フンドウに慣性力猛烈アタックする。
Ｂ遠心力フンドウはこの打撃を受けて遠心力円弧形スイング旋廻を開始する。
一方Ｏ鉄平板は、慣性力の延長でＴ磁力鉄に接近して吸着される。
この、Ｂ引抜棒の引抜きが始動旋廻開始となる。
【請求項２】
Ｏ鉄平板の慣性力アタックを受けたＢ遠心力フンドウと（Ｄ）アームは一体となって〔図２〕遠心力運動を激烈展開し、Ｈメインシャフトと共にパワーロックｇ１〜ｇに締つけ固定されたＤアームに対抗して１８０度でＸ１〜Ｘ３に固定し取付けたＥ１〜Ｅ３アームの先端に固着したＡ１〜Ａ３遠心力フンドウ兼反撥磁力鉄設着。
このＡ１〜Ａ３を遠心力旋廻させると同時にＡ１〜Ａ３はＤ１〜Ｄ３アームの梃子天秤の元腕となってＣ１〜Ｃ３に対面固着させたＪ１〜Ｊ３磁力鉄に激突してＤ１〜Ｄ３を磁気反撥で跳ねとばす。
Ａ１〜Ａ３アームは、Ｈメインシャフトとはベアリング接合自由旋廻式のため、このａ１〜Ａ３磁鉄の猛反撥力のため、フンドウＡ１〜Ａ３と共に猛烈スイング反転する。そしてそのＥ１〜Ｅ３の反転スイングはｂ磁鉄に猛烈アタック吸着する。しかしその吸着は瞬間的なるもので〔図６〕に示すスプリング（Ｌ）は、これが吸着に堪えられづ、ａとｂ磁鉄の吸着は一瞬にして、ａはｂから離脱し、急激スイングして反転しａに急激慣性力アタックする。しかし、このアタックも又ｂの磁力反撥とＬスプリング力に引戻される。
このスイング運動が間断なくＢフンドウとｂ磁鉄間を反復強烈に繰返す。
このスイング運動のためＡとＢ間は強烈慣性力アタックが繰返されＡとｂ間は吸着と吸着離脱を繰返す。そのため、Ｘホイルは、この強烈影響で急旋廻を継続するものである。
【請求項３】
［請求項２］に引続いて、この強烈旋廻状態をＨメインシャフトから発電機ｈの▲ａ▼タービンシャフトへ強力増幅的に連合させる創意が本項である。その骨子要素は〔図２〕〔図４〕に示すとおりで、先ず発電機タービンシャフト▲ａ▼の右先端にｅ２ホイルをパワロツで締付け固定し、同ホイルに１８０度で対抗ｅ１とｅ３アームを取付け、さらに同両先端に▲ｂ▼１▲ｂ▼２フライホイルを設定取付ける。そして更にＨメインシャフトの右先端にホイル▲Ｄ▼をパワーロック締め、同ホイルの円側辺の上下対向１８０度２点に〔図２〕右下に示すとおり▲Ｃ▼１と▲Ｃ▼２角型アームを突起させ、この２本のアームを▲ｅ▼１アームの表側に▲ｅ▼３アームの裏面に突出す。この形態構造において〔請求項２〕に示すとおりＨメインシャフト、各フライホイル並びにフンドウ旋廻力を受けて、▲ｄ▼ホイル▲Ｃ▼１▲Ｃ▼２アームは急激旋廻し発電機ｈのタービンシャフト▲ａ▼を急速旋廻させることとするものである。
【請求項４】
以上の３請求項の働きにより強度の旋廻がａタービンシャフトに起ることをテストし、確認したが、なお更に大なる旋廻力でタービンシャフトａ〔図４〕を創意した。
以下に記述すると〔図４〕に示すとおりでａタービンシャフトのシャーシ外径の右と左部の２点のａタービンシャフト貫通孔に、ａタービンシャフトを滑性旋廻し支えるベアリングがある。このベアリング（ｍ）１と（ｍ）２のシャーシ前後部の２個はａタービンシャフトの外径よりも微径間隙をもつ（例えばａ外径１５ミリに対して内径１７ミリ〜１８ミリ）内径のベアリングを以ってシャーシ前後部のタービン通過させる。この場合当然にシャーシ前後孔径も１７〜１８ミリに近きものとする。このｍ１とｍ２を固定させてａタービンシャフトを抱かせる。その上でこのａタービンシャフトに、前後共並列させてｎ非鉄（アルミ等）筒を通して固定する〔図４〕上断面図に示すとおりｎ非鉄筒外径に（ｊ）永久磁石鉄（ネオヂューム等強力永久磁石鉄）直方形を間断なく、円形に囲撓並列固定する。
これを内径輪磁石鉄と名づけ同ｊ内径輪磁石鉄の外径側に一定反撥空間（ｋ）を設けｊ内径輪磁石鉄の列に正対抗させてｉ外径輪磁石鉄を一定反撥力を確認した上でｊの内径輪磁石鉄の内径輪側の円輪列に正対列させて設置する。
この外径輪磁石鉄の円輪はｆ１とｆ２の左右の支柱〔図４〕が支え且つその上端にも〔図４〕が示すとおりｉ外径輪磁石鉄列の一端を締めつけ固定する。この〔請求項４〕に示すとおりａタービンシャフトは、そのシャーシ２点（右左）の外側においてｊとｉの反撥力を受けて宙空浮遊旋廻するもので摩擦と引力抵抗が殆んどなくなり超スピード旋廻するものとなる。
【発明の詳細な説明】
【技術分野】
【０００１】発電に必要なエネルギーを、微力低速モーターを起発力とするが、これのみでは発電起動旋廻できないところを引力遠心力慣性力ならびに梃子天秤力磁気力等の天然自然力をメインシャフトの周囲を金属性長足遠心力アーム付属装着フンドウに旋廻させ、その隣接に長足遠心力フンドウを先端に持つアーム付シャフト中心に、シャフトは遊離旋廻するホイルをベアリング固定する。更に〔図１〕Ｂの固定取付部のＹホイルに製版対峙させてＥ１〜Ｅ３アームを介してＡ１〜Ａ３遠心力フンドウを設定することにおいて、Ｂの旋廻と共にＡも一体渾然旋廻しＡのＣアームを慣性力強烈に反撥磁気力と共に打撃することにおいてＡＢ共に引力遠心力慣性力梃子天秤力磁気力で連鎖的効果を惹起し強烈旋廻を継続展開するものである〔図６〕ならびに〔請求項２〕に示すごとくＡフンドウのスイングでＢフンドウ（Ｄ）アームは強烈旋廻してメインシャフトを旋廻すると同社に〔図４〕〔図２〕に示す如く、ｉ外輪磁石鉄とｊ内径輪磁石鉄の反撥空転旋廻により、発電機の中心タービンシャフトａは強力旋廻して発電が継続大なる効用を発揚する。
【背景技術】
【０００２】従来から今日にかけて発電機に必要なエネルギー源は水力発電から火力発電へ、そして原子力発電へと今日では社会、人類の文明生存には欠くべからざる電気エネルギー源ちなって地球上拒むことを得ざるものとなっております。
しかるに、これらのエネルギー源は、水力発電においては巨大なる水力ダムを必要とし、経済上、地域侵害、ダムの決壊大水害の発生災厄等々の欠陥があり、続いて重宝とされた火力発電は発電用エネルギーが膨大なる石油消費における経済上の問題点、二酸化炭素発生による大気天空の汚染人類地球に対する害悪が増加されさらに地球に対する忌しき温暖化危惧、原料石油の高騰、石油の将来的枯渇等の世界恐慌が迫る恐怖がある。
さらには原子力発電の放射能禍悪の恐れは、今は誰知らぬものなき危機害悪に震きつつ、これを知りながらも見て見ぬふりを装わねばならない現状が続いている。このため、そのエネルギー源となる。これらに代わるものとして社会に普及し始めたソーラー発電、風力発電においても、その装備経済性発電能力等は到底これらに代替するには程遠いのが現状であり現実であります。
そこにおいて、この度出願を目標する発明こそ、これらの危惧危険害悪を払拭し、地球に人類に貢献できるもの危険度全くなし、地球上いたる処で無償且つ安易に応用できる引力遠心力慣性力梃子天秤力磁気力応用原理を基本とするメカニックであり、単純シンプル低価格電力供給発明と確信するものであります。この原理発電機械普及大型化合理化は今は焦眉の急務であります。
【発明の開示】
【発明が解決しようとする課題】
【０００３】本発明は現状の発電エネルギー源となっている石油火力発電、ウラニューム原子力発電、風力発電等の発電事業に代わって天然自然エネルギーを応用して高度で強力な発電をしようとする革新的事業であります。【０００４】発明については、現在、現認、実証、確信は得ても小規模実験段階ものであり、これらを大規模実用的将来への発展的なものとなすには原理応用天然自然力連鎖的応用は変わることなく〔図１〕〔図２〕に示すＫモーター、２プーリー、ＺプーリーＧ１とＧ２支柱ＨメインシャフトＤ１〜Ｄ３アームとＥ１〜Ｅ３アーム・外〔図２〕に示す三連式を五連式〜六連式となす等、これら総てを大規模に高性能とし、且つ超高機械メカニック化することで、大型発電力、大量電力供給することが現状発電事業の解決手段である。
なお更に自然力応用に高性能強度を加増するために〔請求項４〕を増強精度綿密を図り、より一層Ａタービンシャフトの宙空旋廻を増強することにより引力遠心力慣性力梃子天秤力プラス磁気反撥力の五原理を最高度化応用してゆくことこそ解決手段の鍵である。
【課題を解決するための手段】
【０００５】本発明において現段階においては小規模実験実証の段階ではあるが、本発明の課題である大規模な大量エネルギーを要する発電に対しては、これに相応する大量発電力を供給し得る、大型高性能エネルギー発生が最も必要解決手段である。
そのために、この無公害低廉機装置を実現する場所機械製作技術、更なる研究によりその具体化実現のための、人的、科学力の結集と発電装置完備が解決手段であります。
【発明の効果】
【０００６】この発明により無公害なる天然力応用により、地球上いたる処に安価安全電力供給の実現がなし得られたなら人類、社会、地球上に大なる貢献をなし得るものというべき大なる効果が果たせるものであります。
【発明を実施するための最良形態】
【０００７】本発明の実施、そして最良の形態としては、家庭、零細街工場への低価格の供給から大規模工場電気鉄道事業への電力供給等々、現今社会の必要を満足させ害悪弊害なき発電を最良に効果あらしめ地球上の人々が喜び幸福の一助となれるためには、現実に、この原理発明効果を味ってもらい、安い電力恩恵生活、工場の生産と実益、社会的貢献の達成が急務であり、早期特許の承認を希求するものであります。
【０００８】発電装置一式が安価で設備なし得る。長持ち破損せづ継続的に運転し破損しない。公害がない。エネルギー源が無償であるとの条件を満たすことこそ最良効果であり、これらの総てを満足させることがなし得られるべく、特許承認を受け実社会に向けて着々と実現へ向うこと。そのために健全確固たる発電機装置の本格的生産が最良の形態であり、焦眉の急務であります。
【図面の簡単な説明】
【０００９】
【図１】本発明において、低速低出力モーターを起動力の根源第一歩として、発電のための、メインシャフトＨ付属のホイル円盤、付属のアームＸＹならびにその先端各フンドウを旋廻させるため１００Ｖ電源にコンセント孔にコンセントを差込んでも、電圧、唸り音のみで旋廻不能なるために、その起動旋廻の序動行為として〔図１〕上部の引抜棒を引抜くことにおいて、Ｑアーム遠心力フンドウＯ鉄平板が抛物線形に引力落下して図のとおりＢ遠心力フンドウを旋廻させ、本発電機メインシャフトを旋廻させ始める起動第１歩を示す図面。
【図２】前記の〔図１〕で起動開始となったメインシャフトＨの旋廻開始となる。その原動力助長発展はＹアームのスイング運動が付着磁気力反撥と吸着の繰返し運動で、これが梃子天秤力運動遠心力運動となって、隣接Ｄアームに間断なくスイングアタックを継続し繰返し、そのＤアームＢ遠心力フンドウを旋廻させメインシャフトＨを急速激烈旋廻させる。この旋廻力が図面右下Ｃ１とＣ２アームを旋廻させるため、その旋廻が発電機中心ａタービンシャフトを図のとおり梃子天秤力、遠心力で強力急旋廻させて発電機の起電力継続発生をなすものである。
【図３】〔図１〕〔図２〕に示した手順で旋廻を始めたＨメインシャフトはその右端末部に結束したｄホイルも同率速度旋廻させ同ホイル円側Ｃ１とＣ２角型アームも梃子天秤力と両端末２個のｂ１とｂ２遠心力旋廻を伝達伝動して発電気機タービンシャフトａを急旋廻させてｈ発電気機の発電を起させるが、その時にタービンシャフトとタービンシャフトシャーシ両側端のベアリングの引力作用摩擦抵抗力を皆無除去空転無重力化し、旋廻能力を更に高度化するためにｉ外径輪磁力鉄を構えａタービンシャフトの外径にｊ内径輪磁鉄を篏合させ、その相互間反撥空間を恒くことにおいて、ａタービンシャフトは宙空無抵抗浮遊旋廻させることとしたものである。
【図４】は、〔図２〕においては図面紙面不足のためにＫ低速モーターの旋廻プーリーを大小の一連式としたが旋廻力伝達増幅を大ならしめるために〔図４〕においてこのプーリー掛替えを大小３連達式として図示しＺプーリー第１連では秒速１×４とし、２段目は４×４となし、３段目は、１６×４＝秒速６４回転、分速６４×６０＝３８００廻転を目標にタービン旋廻を図るものとした。
【図５】は〔図２〕においてのＸホイル（Ｈメインシャフトに固着）がＹホイル（Ｈメインシャフトにベアリング篏合遊施式廻転）を並外近接して設置し、このＤアームに取付いた磁力鉄がＤアームと共に旋廻するが、その旋廻に伴いｂ１磁鉄も当然に必ず同一旋廻運動をする。この時点にあってＥアーム取付けのａ磁鉄の反撥アタックを受けており、Ｌスプリングと共にｂ２磁鉄に立向うことなり、同時点においてａ磁力鉄は、一旦瞬的にｂ２磁力鉄に吸着される。しかしながら、同外点においてはスプリングＬが最高緊張点に達するがためにその吸着は全くの瞬間であり、ｂ２から引離されたａは急速反転してｂ１に撃突アタックし（Ｄ）アームを慣性力、Ｂフンドウを遠心力によって急激右旋廻する。しかしａの、この運動はｂ１とｂ２の間を全く規則的に往復スイングを継続し続けて、Ｘホイル（Ｄ）アーム及びＢフンドウを急速旋廻し、その中心にあるメインシャフトも同様急旋廻させるものである。
【符号の説明】
【００１０】〔図１〕〔図２〕
Ａ−Ｅ１〜Ｅ３の３本アーム先端付着の遠心力フンドウ
Ｂ−Ｄ１〜Ｄ３の３本アーム先端付着の遠心力フンドウ
Ｃ−Ｈメインシャフト右端に取付けたｄホイル両側の角型２本Ｃ１とＣ２〔図２〕〔図３〕
Ｄ−Ｈメインシャフトにパワーロックｇで締めつけたホイルＸ１〜Ｘ３に取り付けたＤ１〜Ｄ４のア−ム３本
（Ｄ）−Ｅ１〜Ｅ３の３本アームとその先端Ａ１〜Ａ３の３個のフンドウを滑旋廻させるベアリング３個×２＝６個
ｄ−Ｈメインシャフト右端末のホイル
Ｅ−図２ん下部のメインシャフトＨに取付けたＹ１〜Ｙ３に取付けたアームＥ１〜Ｅ３の３本
Ｆ−Ｋモーターのベースファンド
Ｇ−Ｈメインシャフトの両側をベアリング篏合により支える２本の左右支柱
Ｈ−Ｘホイル３個とＹホイルの中心となりＸホイルやＢ１〜Ｂ３フンドウと共に旋廻するメインシャフト
▲Ｈ▼−Ｇ２下部プーリー締付け中心シャフト
Ｉ−〔図２〕〔図５〕に示すＫモーター軸廻転からメインシャフトにこれをＮベルトを介して伝達し、廻転速度を倍化するためのプーリー小３個＝〔図５〕
Ｊ−〔図１〕Ｏ鉄平板フンドウＱアームの支え支柱
Ｋ−〔図１〕〔図２〕〔図３〕に示す低速モーター
Ｌ−〔図５〕×ホイルの円側に固着Ｅアームのスイング運動を自力の伸縮変化により強力助長するスプリング
Ｍ−〔図１〕の上部Ｖ引抜棒貫通包筒
Ｎ−〔図１〕〔図２〕〔図５〕のＫモーター中心軸シャフト旋廻数増加用ＺとＩプーリーを連動し伝達するベルト
Ｏ−〔図１〕左上部の拠物線形落下の鉄平板
Ｐ−〔図１〕の上部先部先端のＱアーム拠物線落点となるベアリング
Ｑ−〔図１〕上部の鉄平板Ｏを支えるアーム
Ｒ−〔図１〕Ｊ支柱上部で右側にあり（Ｒ）磁磁を支えるアーム
Ｓ−〔図１〕の左上部Ｍ包筒を支える曲型アーム
Ｔ−〔図１〕右上部に示すＲアームに支えられ、Ｏ鉄平板を待ち受ける磁鉄
Ｕ−〔図１〕に示すＧ支柱の補強支柱
Ｖ−〔図１〕左上部に示すＱアームの支えＭ金属包筒から引抜く始動開始引抜き棒
Ｗ−発電機ｈの支柱台
Ｘ−Ｈメインシャフトと共にｇ１〜ｇ３の３個のパワーロックで固定された４枚のホイル円板
Ｙ−Ｈメインシャフトに左右から２ヶのベアリングに挟まれその中において滑り遊離旋廻する３個の円板ホイル
Ｚ−〔図１〕〔図４〕に示す大小６個のプーリーの裡の大なプーリー３つの円型のプーリー
（Ｚ）−Ｋ低速モーターの電源始動開始のソケット「Ｚ」の差込孔
「Ｚ」−（Ｚ）の差込孔に差込む電動線体コンセント
ａ−発電気機のタービンシャフトａ１とａ２
ｂ−〔図１〕右側に示すｅ１とｅ２アームの両末端のフンドウ
ｃ−〔図２〕〔図３〕に示すｅ１とｅ２ホイルの梃子旋廻角型アーム
ｄ−〔図１〕〔図２〕に示すＢフンドウ
（ｄ）−〔図２〕に示すＹホイル３枚の左右移動振れ止め自由旋廻Ｙ１〜Ｙ３各両側挟み式ベアリング
ｅ−〔図１〕〔図２〕に図示したｄホイル両側付着のプロペラ式アームｅ１とｅ２の２本
ｆ−〔図２〕〔図３〕右側に図示したｉ外径輪支柱の下部ｆ１と上部ｆ２の２本支柱
ｇ−〔図２〕〔図５〕に図示した
ｈ−〔図３〕中央部右発電気機
ｉ−〔図２〕〔図３〕に図示した発電気機のタービンシャフトの両端に円型配列させた内径輪磁石鉄ｊに（ｋ）空間隙を置き、対抗反撥させｊを囲撓した磁力鉄並列円型の外径輪磁石鉄
（ｊ）−〔図３〕ａタービンシャフトのシャーシ前後部ｍ１とｍ２ベアリングの両側（左右）に並列設置した磁石鉄で外径輪ｉ磁石鉄円内に（ｋ）空間を通して反撥する磁石鉄円型輪列の内径輪磁石鉄
（ｋ）−ｊ内径輪磁石鉄とｉ外径輪磁石鉄が対立反撥する空間
ｍ−〔図４〕ｈ発電気機とａタービンシャフトシャーシ左右直近に固着した左ｍ１、右ｍ２のベアリング
【図１】
2007146850.tif 000003
【図２】
2007146850.tif 000004
【図３】
2007146850.tif 000005
【図４】
2007146850.tif 000006
【図５】
2007146850.tif 000007